【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
複数のネットワークアドレス可能スクリーン（１０１、３００）であって、各スクリーン（１０１、３００）は、第１のネットワーク（１０６）を介してアドレス可能である、複数のネットワークアドレス可能スクリーン（１０１、３００）と、
該第１のネットワーク（１０６）を介して該スクリーン（１０１、３００）と通信するウェブサーバ（１０１Ａ）であって、該ウェブサーバ（１０１Ａ）は、該スクリーン（１０１、３００）の各々に対して詳述されるコンテンツ（１０３）を提供し、該ウェブサーバ（１０１Ａ）は、該第１のネットワーク（１０６）に接続されたその他のコンピュータ（１０５Ａ）によって、該第１のネットワーク（１０６）を介してアクセス可能である、ウェブサーバ（１０１Ａ）と、
ユーザ通信デバイス（１０８、３０３）との、該第１のネットワーク（１０６）とは異なる第２のネットワーク（１０９）を介する通信のために、該ウェブサーバ（１１０Ａ）と通信するゲートウェイ（１０７Ａ、４１１）であって、各ユーザ通信機器（１０８、３０３）は、該ゲートウェイ（１０７Ａ、４１１）を介して、該ウェブサーバ（１１０Ａ）と別個に通信し、該スクリーン（１０１、３００）のうちの選択された１つの上のコンテンツ（１０３）に作用する、ゲートウェイ（１０７Ａ、４１１）と
を含む、双方向ディスプレイのためのシステム。
【請求項２】
前記ゲートウェイ（１０７Ａ、４１１）は、前記第１のネットワーク（１０６）上で用いられる第１のプロトコルと前記第２のネットワーク（１０９）上で用いられる第２のプロトコルとの間で変換する、請求項１に記載の双方向ディスプレイのためのシステム。
【請求項３】
前記ユーザ通信デバイス（１０８、３０３）は、携帯電話を含む、請求項１に記載の双方向ディスプレイのためのシステム。
【請求項４】
前記ユーザ通信デバイス（１０８、３０３）は、無線の携帯情報端末（ＰＤＡ）を含む、請求項１に記載の双方向ディスプレイのためのシステム。
【請求項５】
前記ゲートウェイ（１０７Ａ、４１１）は、前記ユーザ機器（１０８、３０３）からのテキストメッセージ通信に応答して、前記第２のネットワーク（１０９）を介して、テキストメッセージを送信するように構成されており、
前記ウェブサーバ（１１０Ａ）は、前記ゲートウェイ（１０７Ａ、１１０）からの前記テキストメッセージの少なくとも一部分を、前記スクリーン（１０１、３００）のうちの少なくとも１つの上に表示させるように構成されている、
請求項１に記載の双方向ディスプレイのためのシステム。
【請求項６】
前記スクリーン（１０１、３００）のうちの少なくとも一部の各々は、スクリーン識別子（１０２）を表示し、
前記ゲートウェイ（１０７Ａ、４１１）は、ユーザ通信デバイス（１０８、３０３）からスクリーン識別子（１０２）を受信するように構成されており、その結果、該ユーザ通信デバイス（１０８、３０３）は、該ゲートウェイ（１０７Ａ、４１１）を介して前記ウェブサーバ（１１０Ａ）と通信し、該受信されたスクリーン識別子（１０２）に基づいて選択されたスクリーン（１０１、３００）上のコンテンツ（１０３）に作用する、
請求項１に記載の双方向ディスプレイのためのシステム。
【請求項７】
前記スクリーン（１０１、３００）のうちの少なくとも一部の各々は、コンテンツ識別子（１０４）を表示し、
前記ゲートウェイ（１０７Ａ、４１１）は、ユーザ通信デバイス（１０８、３０３）からコンテンツ識別子（１０４）を受信するように構成されており、その結果、該ユーザ通信デバイス（１０８、３０３）は、該ゲートウェイ（１０７Ａ、４１１）を介して前記ウェブサーバ（１１０Ａ）と通信し、該受信されたコンテンツ識別子（１０４）に基づいて選択されたスクリーン（１０１、３００）上のコンテンツ（１１０Ａ）に作用する、
請求項１に記載の双方向ディスプレイのためのシステム。
【請求項８】
前記スクリーン（１０１、３００）のうちの少なくとも一部の各々は、宛先の電気通信アドレスを表示し、
前記ゲートウェイ（１０７Ａ、４１１）は、該スクリーン（１０１、３００）のうちの少なくとも１つの上に表示された宛先の電気通信アドレスに発せられた通信を受信するように構成されており、その結果、前記ユーザ通信デバイス（１０８、３０３）は、該ゲートウェイ（１０７Ａ、４１１）を介して、前記ウェブサーバ（１１０Ａ）と通信し、該通信が発せられる該宛先の電気通信アドレスに基づいて選択されたスクリーン（１０１、３００）上のコンテンツ（１０３）に作用する、
請求項１に記載の双方向ディスプレイのためのシステム。
【請求項９】
前記宛先の電気通信アドレスは、電話番号を含む、請求項８に記載の双方向ディスプレイのためのシステム。
【請求項１０】
前記宛先の電気通信アドレスは、電話番号および内線番号を含む、請求項８に記載の双方向ディスプレイのためのシステム。
【請求項１１】
前記宛先の電気通信アドレスは、ショートメッセージサービス（ＳＭＳ）アドレスを含む、請求項８に記載の双方向ディスプレイのためのシステム。
【請求項１２】
前記宛先の電気通信アドレスは、ショートメッセージサービス（ＳＭＳ）ショートコードを含む、請求項８に記載の双方向ディスプレイのためのシステム。
【請求項１３】
前記宛先の電気通信アドレスは、電子メールアドレスを含む、請求項８に記載の双方向ディスプレイのためのシステム。
【請求項１４】
前記宛先の電気通信アドレスは、インスタントメッセージアドレスを含む、請求項８に記載の双方向ディスプレイのためのシステム。
【請求項１５】
前記ウェブサーバ（１１０Ａ）は、前記ネットワークアドレス可能スクリーン（１０１、３００）のうちの１つに関連付けられたユーザ通信デバイス（１０８、３０３）に関連する存在情報を提供する、請求項１に記載の双方向ディスプレイのためのシステム。
【請求項１６】
前記ウェブサーバ（１１０Ａ）は、所定の関心事のリストのうちの少なくとも１つを有するユーザ（３０１、１０８Ａ）に関連する情報を提供する、請求項１に記載の双方向ディスプレイのためのシステム。
【請求項１７】
前記ウェブサーバ（１１０Ａ）は、前記スクリーン（１０１、３００）のうちの少なくとも１つに前記情報を提供する、請求項１６に記載の双方向ディスプレイのためのシステム。
【請求項１８】
前記ウェブサーバ（１１０Ａ）は、前記その他のコンピュータ（１０５Ａ）のうちの少なくとも１つに前記情報を提供する、請求項１６に記載の双方向ディスプレイのためのシステム。
【請求項１９】
前記ウェブサーバ（１１０Ａ）は、所定の関心事のリストのうちの少なくとも１つを有するユーザ（１０８Ａ、３０１）に関連する情報を提供し、該ユーザの通信デバイス（１０８、３０３）は、前記ネットワークアドレス可能スクリーン（１０１、３００）のそれぞれに関連付けられている、請求項１に記載の双方向ディスプレイのためのシステム。
【請求項２０】
前記ウェブサーバ（１１０Ａ）は、前記スクリーン（１０１、３００）のうちの少なくとも１つに前記情報を提供する、請求項１９に記載の双方向ディスプレイのためのシステム。
【請求項２１】
前記ウェブサーバ（１１０Ａ）は、前記その他のコンピュータ（１０５Ａ）のうちの少なくとも１つに前記情報を提供する、請求項１９に記載の双方向ディスプレイのためのシステム。
【請求項２２】
前記ウェブサーバ（１１０Ａ）は、前記ユーザ通信デバイス（１０８、３０３）のうちの少なくとも１つからの通信に応答して、双方向ゲームコンテンツ（１０３）を提供し、該提供されたゲームコンテンツ（１０３）を改変する、請求項１に記載の双方向ディスプレイのためのシステム。
【請求項２３】
前記ウェブブラウザ（１１０Ａ）は、前記ユーザ通信デバイス（１０８、３０３）のうちの少なくとも２つの各々からの通信に応答して、双方向のマルチプレイヤーゲームコンテンツ（１０３）を提供し、該マルチプレイヤーゲームコンテンツ（１０３）を改変する、請求項１に記載の双方向ディスプレイのためのシステム。
【請求項２４】
前記第１のネットワーク（１０６）は、インターネットを含み、
前記第２のネットワーク（１０９）は、無線通信キャリアネットワークを含む、
請求項１に記載の双方向ディスプレイのためのシステム。
【請求項２５】
前記第２のネットワーク（１０９）は、無線通信キャリアネットワークを含む、請求項１に記載の双方向ディスプレイのためのシステム。
【請求項２６】
前記第２のネットワーク（１０９）は、有線通信キャリアネットワークを含む、請求項１に記載の双方向ディスプレイのためのシステム。
【請求項２７】
前記ゲートウェイ（１０７Ａ、４１１）は、前記ユーザ通信デバイス（１０８、３０３）からの通信を受信するデュアルトーン多重周波数（ＤＴＭＦ）検出器（４１４、４２０）を含む、請求項１に記載の双方向ディスプレイのためのシステム。
【請求項２８】
前記ゲートウェイ（１０７Ａ、４１１）は、前記ユーザ通信デバイス（１０８、３０３）からの通信を受信する自動音声認識器（４１４、４２０）を含む、請求項１に記載の双方向ディスプレイのためのシステム。
【請求項２９】
前記ゲートウェイ（１０７Ａ，４１１）は、前記ユーザ通信デバイス（１０８、３０３）のうちの少なくとも１つによる表現のための音声プロンプトを提供し、前記スクリーン（１０１、３００）のうちの少なくとも１つの上に、該音声プロンプトに関連するコンテンツ（１０３）を表示するように構成されている、請求項１に記載の双方向ディスプレイのためのシステム。
【請求項３０】
前記ゲートウェイ（１０７Ａ、４１１）に接続されたショートメッセージサービスセンター
をさらに含み、
該ゲートウェイ（１０７Ａ、４１１）は、前記ユーザ通信デバイス（１０８、３０３）からの通信を受信するテキストメッセージ受信器（４２１）を含む、
請求項１に記載の双方向ディスプレイのためのシステム。
【請求項３１】
前記ウェブサーバ（１１０Ａ）は、該ウェブサーバ（１１０Ａ）の外部に存在するコンテンツ（１０３）に対するポインタを、前記ネットワークアドレス可能スクリーン（１０１、３００）に提供する、請求項１に記載の双方向ディスプレイのためのシステム。
【請求項３２】
前記ゲートウェイ（１０７Ａ、４１１）は、前記第２のネットワーク（１０９）を介して受信された前記ユーザ通信デバイス（１０８、３０３）からの通信を第１のプロトコルから第２のプロトコルに変換し、該第２のネットワーク（１０９）を介して、該ウェブサーバ（１１０Ａ）に該変換された通信を送信するように構成されている、請求項１に記載の双方向ディスプレイのためのシステム。
【請求項３３】
その後のやり取りに用いるために、第１のやり取りにおいて捕捉された前記ユーザ通信デバイス（１０８、３０３）のうちの１つの電話番号を格納するメモリ
をさらに含む、請求項１に記載の双方向ディスプレイのためのシステム。
【請求項３４】
前記電話番号は、前記ユーザ通信デバイス（１０８、３０３）のうちの前記１つからの電話通話を受信すると、自動的に捕捉される、請求項３３に記載の双方向ディスプレイのためのシステム。
【請求項３５】
前記電話番号は、ユーザ（１０８Ａ、３０１）によって提供される、請求項３３に記載のシステム。
【請求項３６】
前記メモリは、前記その後のやり取りに用いるために、前記第１のやり取りにおいて捕捉された前記電話番号に加えて、該第１のやり取りに関連する情報を格納し、その結果、該第１のやり取りと該その後のやり取りとの各々は、前記第１および第２のネットワーク（１０６、１０９）のうちの異なる１つを介して行われ得る、請求項３３に記載のシステム。
【請求項３７】
双方向ディスプレイを提供する方法であって、該方法は、
ＩＰアドレスから、第１のネットワーク（１０６）を介してサービスを提供するためのウェブページを利用可能にすることであって、該ウェブページを
複数のネットワークアドレス可能スクリーン（１０１、３００）であって、各スクリーン（１０１、３００）は、該第１のネットワーク（１０６）を介してアドレス可能であり、その結果、該スクリーン（１０１、３００）の各々に対して詳述されるコンテンツ（１０３）を提供する、複数のネットワークアドレス可能スクリーン（１０１、３００）と、
該第１のネットワーク（１０６）に接続され、該ＩＰアドレスを用いて通信するその他のコンピュータ（１０５Ａ）と
に対して、利用可能にすることと、
ユーザ通信デバイス（１０８、３０３）から第２のネットワーク（１０９）を介して受信されたコマンドを変換し、該変換されたコマンドを用いて、該スクリーン（１０１、３００）上のコンテンツ（１０３）に作用することであって、各ユーザ通信デバイス（１０８、３０３）は、該スクリーン（１０１、３００）のうちの選択された１つの上のコンテンツ（１０３）に別個に作用する、ことと
を包含する、双方向ディスプレイを提供する方法。
【請求項３８】
コマンドを変換することは、前記第１のネットワーク（１０６）上で用いられる第１のプロトコルと前記第２のネットワーク（１０９）上で用いられる第２のプロトコルとの間で変換することを含む、請求項３７に記載の双方向ディスプレイを提供する方法。
【請求項３９】
前記ユーザ通信デバイス（１０８、３０３）は、携帯電話を含む、請求項３７に記載の双方向ディスプレイを提供する方法。
【請求項４０】
前記ユーザ通信デバイス（１０８、３０３）は、無線の携帯情報端末（ＰＤＡ）を含む、請求項３７に記載の双方向ディスプレイを提供する方法。
【請求項４１】
前記コマンドを変換することは、
前記ユーザ通信デバイス（１０８、３０３）のうちの１つから、前記第２のネットワーク（１０９）を介して、第１のテキストメッセージを受信することと、
該受信された第１のテキストメッセージに応答して、該第２のネットワーク（１０９）を介して、第２のテキストメッセージを送信することと、
該スクリーン（１０１、３００）のうちの少なくとも１つの上に、該第２のテキストメッセージの少なくとも一部を表示させることと
を含む、請求項３７に記載の双方向ディスプレイを提供する方法。
【請求項４２】
前記スクリーン（１０１、３００）のうちの少なくとも一部の各々の上に、スクリーン識別子（１０２）を表示することと、
ユーザ通信デバイス（１０８、３０３）からスクリーン識別子（１０２）を受信することと、
該受信されたスクリーン識別子（１０２）に基づいて選択されたスクリーン（１０１、３００）上のコンテンツ（１０３）に作用することと
をさらに含む、請求項３７に記載の双方向ディスプレイを提供する方法。
【請求項４３】
前記スクリーン（１０１、３００）の少なくとも一部の各々の上に、コンテンツ識別子（１０４）を表示することと、
ユーザ通信デバイス（１０８、３０３）からコンテンツ識別子（１０４）を受信することと、
該受信されたコンテンツ識別子（１０４）に基づいて選択されたスクリーン（１０１、３００）上のコンテンツ（１０３）に作用することと
をさらに含む、請求項３７に記載の双方向ディスプレイを提供する方法。
【請求項４４】
前記スクリーン（１０１、３００）のうちの少なくとも一部の各々の上に、宛先の電気通信アドレスを表示することと、
該スクリーン（１０１、３００）のうちの少なくとも１つの上に表示された宛先の電気通信アドレスに発せられた通信を受信することと、
該通信が発せられる該宛先の電気通信アドレスに基づいて選択されたスクリーン（１０１、３００）上のコンテンツ（１０３）に作用することと
をさらに含む、請求項３７に記載の双方向ディスプレイを提供する方法。
【請求項４５】
前記宛先の電気通信アドレスは、電話番号を含む、請求項４４に記載の双方向ディスプレイを提供する方法。
【請求項４６】
前記宛先の電気通信アドレスは、電話番号および内線番号を含む、請求項４４に記載の双方向ディスプレイを提供する方法。
【請求項４７】
前記宛先の電気通信アドレスは、ショートメッセージサービス（ＳＭＳ）アドレスを含む、請求項４４に記載の双方向ディスプレイを提供する方法。
【請求項４８】
前記宛先の電気通品ドレスは、ショートメッセージサービス（ＳＭＳ）ショートコードを含む、請求項４４に記載の双方向ディスプレイを提供する方法。
【請求項４９】
前記宛先の電気通信アドレスは、電子メールアドレスを含む、請求項４４に記載の双方向ディスプレイを提供する方法。
【請求項５０】
前記宛先の電気通信アドレスは、インスタントメッセージアドレスを含む、請求項４４に記載の双方向ディスプレイを提供する方法。
【請求項５１】
前記ネットワークアドレス可能スクリーン（１０１、３００）のうちの１つに関連付けられたユーザ通信デバイス（１０８、３０３）に関連する存在情報を提供することをさらに含む、請求項３７に記載の双方向ディスプレイを提供する方法。
【請求項５２】
所定の関心事のリストのうちの少なくとも１つを有するユーザ（１０８Ａ、３０１）に関連する情報を提供することをさらに含む、請求項３７に記載の双方向ディスプレイを提供する方法。
【請求項５３】
前記情報を提供することは、前記スクリーン（１０１、３００）のうちの少なくとも１つに前記情報を提供することを含む、請求項５２に記載の双方向ディスプレイを提供する方法。
【請求項５４】
前記情報を提供することは、前記その他のコンピュータ（１０５Ａ）にうちの少なくとも１つに前記情報を提供することを含む、請求項５２に記載の双方向ディスプレイを提供する方法。
【請求項５５】
所定の関心事のリストのうちの少なくとも１つを有するユーザ（１０８Ａ，３０１）に関連する情報を提供することをさらに含み、該ユーザの通信デバイス（１０８、３０３）のそれぞれは、前記ネットワークアドレス可能スクリーン（１０１、３００）のそれぞれに関連付けられている、請求項３７に記載の双方向ディスプレイを提供する方法。
【請求項５６】
前記情報を提供することは、前記スクリーン（１０１、３００）のうちの少なくとも１つに該情報を提供することを含む、請求項５５に記載の双方向ディスプレイを提供する方法。
【請求項５７】
前記情報を提供することは、前記その他のコンピュータ（１０５Ａ）のうちの少なくとも１つに該情報を提供することを含む、請求項５５に記載の双方向ディスプレイを提供する方法。
【請求項５８】
双方向ゲームコンテンツ（１０３）を提供することと、
該ユーザ通信デバイス（１０８、３０３）のうちの少なくとも１つからの通信に応答して、該提供されたゲームコンテンツ（１０３）を改変することと
をさらに含む、請求項３７に記載の双方向ディスプレイを提供する方法。
【請求項５９】
双方向のマルチプレイヤーゲームコンテンツ（１０３）を提供することと、
前記ユーザ通信デバイス（１０８、３０３）のうちの少なくとも２つの各々からの通信に応答して、該提供されたマルチプレイヤーゲームコンテンツ（１０３）を改変することと
をさらに含む、請求項３７に記載の双方向ディスプレイを提供する方法。
【請求項６０】
前記第１のネットワーク（１０６）は、インターネットを含み、
前記第２のネットワーク（１０９）は、無線通信キャリアネットワークを含む、
請求項３７に記載の双方向ディスプレイを提供する方法。
【請求項６１】
前記第２のネットワーク（１０９）は、無線通信キャリアネットワークを含む、請求項３７に記載の双方向ディスプレイを提供する方法。
【請求項６２】
前記第２のネットワーク（１０９）は、有線通信キャリアネットワークを含む、請求項３７に記載の双方向ディスプレイを提供する方法。
【請求項６３】
前記コマンドを変換することは、デュアルトーン多重周波数（ＤＴＭＦ）信号を検出することを含む、請求項３７に記載の双方向ディスプレイを提供する方法。
【請求項６４】
前記コマンドを変換することは、音声コマンドを自動的に認識することを含む、請求項３７に記載の双方向ディスプレイを提供する方法。
【請求項６５】
前記ユーザ通信デバイス（１０８、３０３）のうちの少なくとも１つによる表現のための音声プロンプトを提供すること（６２６）と、
前記スクリーン（１０１、３００）のうちの少なくとも１つの上に、該音声プロンプトに関連するコンテンツ（１０３）を表示させることと
をさらに含む、請求項３７に記載の双方向ディスプレイを提供する方法。
【請求項６６】
コマンドを変換することは、前記ユーザ通信デバイス（１０８、３００）のうちの少なくとも１つから前記第２のネットワーク（１０９）を介してテキストメッセージを受信することを含む、請求項３７に記載の双方向ディスプレイを提供する方法。
【請求項６７】
前記ウェブページを利用可能にすることは、前記ＩＰアドレスの外部に存在するコンテンツ（１０３）にポインタを提供することを含む、請求項３７に記載の双方向ディスプレイを提供する方法。
【請求項６８】
前記コマンドを変換することは、第１のプロトコルにおいて受信されたコマンドを第２のプロトコルに変換することを含む、請求項３７に記載の双方向ディスプレイを提供する方法。
【請求項６９】
第１のやり取りに関連して、前記ユーザ通信デバイス（１０８、３０３）のうちの１つの電話番号（６０６）を捕捉することと、
該捕捉された電話番号を格納することと、
該格納された電話番号を用いて、その後のやり取りに関連させることと
をさらに含む、請求項３７に記載の双方向ディスプレイを提供する方法。
【請求項７０】
前記電話番号（６０６）を捕捉することは、前記ユーザ通信デバイス（１０８、３０３）のうちの前記１つからの電話通話（６０４）を受信すると、該電話番号（６０６）を自動的に捕捉することを含む、請求項６９に記載の双方向ディスプレイを提供する方法。
【請求項７１】
前記電話番号（６０６）を受信することは、ユーザ（１０８Ａ、３０１）によって入力された電話番号を捕捉することを含む、請求項６９に記載の双方向ディスプレイを提供する方法。
【請求項７２】
前記第１のやり取りに関連する電話番号に加えて、該第１のやり取りに関連する情報を格納することと、
前記その後のやり取りに関連して、該格納された情報を用いることであって、その結果、該第１のやり取りと該その後のやり取りとの各々は、前記第１および第２のネットワーク（１０６、１０９）のうちの異なる１つを介して行われる、ことと
をさらに含む、請求項６９に記載の双方向ディスプレイを提供する方法。
【請求項７３】
第１のやり取りに関連して、携帯通信デバイス（１０８、３０３）を識別する情報を受信することと、
該通信デバイス（１０８、３０３）以外の場所に、
該第１のやり取りに関連して受信された、該携帯通信デバイス（１０８、３０３）を識別する情報と、
該第１のやり取りと関連するその他の情報と
を格納することと、
その後のやり取りに関連して、
該携帯通信デバイス（１０８、３０３）を識別する情報を受信することと、
該その後のやり取りを終了することと
を含み、
該その後のやり取りを終了することは、
該その後のやり取りと関連して受信された、該携帯通信デバイス（１０８、３０３）が識別する情報と、
該格納された携帯通信デバイス（１０８、３０３）が識別する情報と、
該第１のやり取りに関連する、該格納された情報と
を用いることによって行われる、方法。
【請求項７４】
前記その後のやり取りを終了することは、前記携帯通信デバイス（１０８、３０３）上のスクリーン以外のスクリーン上に、該携帯通信デバイス（１０８、３０３）のユーザ（１０８Ａ、３０１）に対し、該第１のやり取りに関連する情報を表示することを含む、請求項７３に記載の方法。
【請求項７５】
前記第１のやり取りに関連して、アカウントを識別する情報を受信することと、
前記携帯通信デバイス（１０８、３０３）上以外の場所に、該受信されたアカウント情報を格納することと
をさらに含み、
前記その後のやり取りを終了することは、
購入要求を受け取ることと、
該格納されたアカウント情報を用い、該購入要求に資金を注入することと
を含む、請求項７３に記載の方法。
【請求項７６】
前記第１のやり取りは、前記携帯通信デバイス（１０８、３０３）によって開始される、請求項７３に記載の方法。
【請求項７７】
前記第１のやり取りは、前記携帯通信デバイス（１０８、３０３）以外のデバイス（１０５Ａ）によって開始される、請求項７３に記載の方法。
【請求項７８】
前記その後のやり取りは、前記携帯通信デバイス（１０８、３０３）によって開始される、請求項７３に記載の方法。
【請求項７９】
前記その後のやり取りは、前記携帯通信デバイス（１０８、３０３）以外のデバイス（１０５Ａ）によって開始される、請求項７３に記載の方法。
【請求項８０】
前記携帯通信デバイス（１０８、３０３）を識別する情報は、前記携帯通信デバイス（１０８、３０３）の電話番号を含む、請求項７３に記載の方法。
【請求項８１】
前記第１のやり取りに関連して前記携帯通信デバイス（１０８、３０３）を識別する情報を受信することは、該携帯通信デバイス（１０８、３０３）を識別する情報を自動的に受信することを含む、請求項７３に記載の方法。
【請求項８２】
前記第１のやり取りに関連して前記携帯通信デバイス（１０８、３０３）を識別する情報を受信することは、ユーザが入力した識別情報の指示を受信することを含む、請求項７３に記載の方法。
【請求項８３】
前記その後のやり取りに関連して前記携帯通信デバイス（１０８、３０３）を識別する情報を受信することは、該モバイル通信デバイス（１０８、３０３）の識別する情報を自動的に受信することを含む、請求項７３に記載の方法。
【請求項８４】
前記その後のやり取りに関連して前記携帯通信デバイス（１０８、３０３）を識別する情報を受信することは、ユーザが入力した識別情報を受信することを含む、請求項７３煮記載の方法。
【請求項８５】
前記携帯通信デバイス（１０８、３０３）を識別する情報を受信することは、前記ユーザ（１０８Ａ、３０１）を前記第１または第２のやり取りに招待する視覚表示を、該携帯通信デバイス（１０８、３０３）以外のデバイス上に提供することを含む、請求項８２または８４に記載の方法。
【請求項８６】
前記ユーザ通信デバイス（１０８、３０３）のうちの１つを別個のサブシステムに一時的に接続する手段をさらに含む、請求項１に記載の双方向ディスプレイのためのシステム。
【請求項８７】
前記ユーザ通信デバイス（１０８、３０３）のうちの１つを別個のサブシステムに一時的に接続することをさらに含む、請求項３７に記載の双方向ディスプレイのためのシステム。